(57)【要約】【課題】ステージ定盤の微細な振動を素早く減衰させることができる露光装置を提供する。【解決手段】露光装置の一態様は、フレームと、上記フレームに対して昇降自在な、昇降方向に対して交わる面内方向に広がったステージ定盤と、上記ステージ定盤に搭載され、上記面内方向に移動自在な可動ステージと、上記可動ステージに載置される露光対象に対して光を照射して露光する露光部と、上記ステージ定盤に対して上記可動ステージを上記面内方向に移動させる移動機と、上記可動ステージを搭載した上記ステージ定盤を上記フレームに対して昇降させる昇降機と、上記フレームと上記ステージ定盤との双方に繋がり、上記フレームに対する上記ステージ定盤の振動を抑制する制振ダンパと、を備え、上記制振ダンパが、上記フレームと上記ステージ定盤との一方に固定されて内部に上記粘性流体を収容した容器と、上記一方に対する他方に固定され、一部が上記容器内の上記粘性流体に、その容器の内壁とは非接触の状態で挿入された挿入体と、を備える。【選択図】      図２
2018124464.tif 000002
【特許請求の範囲】
【請求項１】
フレームと、
前記フレームに対して昇降自在な、昇降方向に対して交わる面内方向に広がったステージ定盤と、
前記ステージ定盤に搭載され、前記面内方向に移動自在な可動ステージと、
前記可動ステージに載置される露光対象に対して光を照射して露光する露光部と、
前記ステージ定盤に対して前記可動ステージを前記面内方向に移動させる移動機と、
前記可動ステージを搭載した前記ステージ定盤を前記フレームに対して昇降させる昇降機と、
前記フレームと前記ステージ定盤との双方に繋がり、前記フレームに対する前記ステージ定盤の振動を抑制する制振ダンパと、を備え、
前記制振ダンパが、
前記フレームと前記ステージ定盤との一方に固定されて内部に粘性流体を収容した容器と、
前記一方に対する他方に固定され、一部が前記粘性流体に、前記容器の内壁とは非接触の状態で挿入された挿入体と、
を備えたものであることを特徴とする露光装置。
【請求項２】
前記移動機が、前記面内方向に含まれた互いに交わる２つの方向成分それぞれについて互いに独立に前記可動ステージを移動させる複数の移動部を有するものであり、
前記挿入体は、前記粘性流体に挿入された部分が、前記２つの方向成分のうちの一方に沿って延びた板部であることを特徴とする請求項１に記載の露光装置。
【請求項３】
前記挿入体は、前記板部が、前記２つの方向成分のうちの一方と前記昇降方向との双方に沿って延びたものであることを特徴とする請求項２に記載の露光装置。
【請求項４】
前記容器が、各々に前記粘性流体を収容し、前記２つの方向成分のうち前記一方に対する他方に沿って並んだ複数の収容槽を有するものであり、
前記挿入体が、前記複数の収容槽に個別に挿入された複数の前記板部を有するものであることを特徴とする請求項２に記載の露光装置。
【請求項５】
前記挿入体は、前記粘性流体に挿入された部分が、前記制振ダンパによって抑制される前記ステージ定盤の振動の方向に沿って延びた板部であることを特徴とする請求項１から４のいずれか１項に記載の露光装置。
【請求項６】
前記粘性流体が、１０００Ｐａ・ｓ以上の粘度を有するものであることを特徴とする請求項１から５のいずれか１項に記載の露光装置。
【発明の詳細な説明】
【技術分野】
【０００１】
本発明は露光装置に関し、さらに詳細には、可動ステージをステージ定盤に対して移動させる際に生ずるステージ定盤の振動を素早く減衰させることのできる露光装置に関する。
【背景技術】
【０００２】
露光装置は、プリント基板や液晶パネルなどといった、ワークとも称される製造物の製造工程において配線等のパターン形成に用いられる。このような露光装置は、典型的な構成例としては、主に、光照射部、ワークに露光（転写）されるパターンが形成されたマスク、このマスクを保持するマスクステージ、露光処理が行われるプリント基板や液晶パネルなどのワークを保持するワークステージ、マスクに形成されたパターンをワーク上に投影する投影レンズを備える。
【０００３】
特許文献１には、上述した典型的な構成を有した露光装置が開示されている。ワークステージは通常、ワークを載せて移動できる可動ステージと、その可動ステージの可動領域を規定するステージ定盤を備えている。
また、このようなワークステージは、露光装置全体の外骨格となる光学フレーム（あるいは光学ベンチ）内に配備されていることも一般的である。そして、ステージ定盤と光学フレームの間にはＺ軸駆動機構がある。可動ステージは、このようなＺ軸駆動機構によるＺ方向移動とステージ定盤上での平面的な移動とを合わせて、ＸＹＺθ方向に移動可能となっている。
【先行技術文献】
【特許文献】
【０００４】
【特許文献１】特許第５５５６７７４号公報
【発明の概要】
【発明が解決しようとする課題】
【０００５】
しかしながらＺ軸駆動機構は、ステージ定盤や光学フレームと比較すると剛性が低く、パターンの微細化に伴って可動ステージの動きが素早くなっていくと、ステージ定盤に微細な振動が発生するようになってきた。
一方で可動ステージの位置精度もパターンの微細化に伴って精密化しており、可動ステージが動くたびに発生するステージ定盤の振動が所定のレベルまで減衰するまで待たなければ露光装置は露光が行えなくなってきている。
この結果、タクトタイムが短縮されないという問題が発生した。この問題はステップ＆リピート方式の露光装置において特に顕著であるが、露光装置において一般的に生じている問題である。
以上に鑑み、本発明はステージ定盤の微細な振動を素早く減衰させることができる露光装置を提供することを課題とする。
【課題を解決するための手段】
【０００６】
上記課題を解決するために、本発明に係る露光装置の一態様は、フレームと、上記フレームに対して昇降自在な、昇降方向に対して交わる面内方向に広がったステージ定盤と、上記ステージ定盤に搭載され、上記面内方向に移動自在な可動ステージと、上記可動ステージに載置される露光対象に対して光を照射して露光する露光部と、上記ステージ定盤に対して上記可動ステージを上記面内方向に移動させる移動機と、上記可動ステージを搭載した上記ステージ定盤を上記フレームに対して昇降させる昇降機と、上記フレームと上記ステージ定盤との双方に繋がり、上記フレームに対する上記ステージ定盤の振動を抑制する制振ダンパと、を備え、上記制振ダンパが、上記フレームと上記ステージ定盤との一方に固定されて内部に上記粘性流体を収容した容器と、上記一方に対する他方に固定され、一部が上記容器内の上記粘性流体に、その容器の内壁とは非接触の状態で挿入された挿入体と、を備える。
このような露光装置によれば、ステージ定盤の微細な振動を、粘性流体と挿入体との抵抗力で素早く減衰させることができる。
【０００７】
上記露光装置において、上記移動機が、上記面内方向に含まれた互いに交わる２つの方向成分それぞれについて互いに独立に上記可動ステージを移動させる複数の移動部を有するものであり、上記挿入体は、上記粘性流体に挿入された部分が、上記２つの方向成分のうちの一方に沿って延びた板部であることが好ましい。
このような露光装置によれば、板部は、上記一方の方向成分における可動ステージの移動でステージ定盤に生じる振動を素早く減衰させることができる。
【０００８】
また、上記板部を有した上記挿入体は、上記板部が、上記２つの方向成分のうちの一方と上記昇降方向との双方に沿って延びたものであることが更に好ましい。板部がこのような方向に沿って延びていることで、充分な制振能力を有した制振ダンパがステージ定盤とフレームとの隙間に容易に設置される。
更に、上記板部を有した上記挿入体は、上記容器が、各々に上記粘性流体を収容し、上記２つの方向成分のうち上記一方に対する他方に沿って並んだ複数の収容槽を有するものであり、上記挿入体が、上記複数の収容槽に個別に挿入された複数の上記板部を有するものであることも好ましい。このような複数の板部により、省スペースで高い制振能力が実現される。
【０００９】
また、上記露光装置において、上記挿入体は、上記粘性流体に挿入された部分が、上記制振ダンパによって抑制される上記ステージ定盤の振動の方向に沿って延びた板部であってもよい。このような板部は、振動方向に沿って延びた側面で粘性流体から抵抗力を受けて振動を素早く減衰させる。
また、上記露光装置において、上記粘性流体が、１０００Ｐａ・ｓ以上の粘度を有するものであってもよい。このような高い粘度の粘性流体が用いられることによって振動が素早く減衰される。
【発明の効果】
【００１０】
本発明の露光装置によれば、ステージ定盤の微細な振動を素早く減衰させることができる。
【図面の簡単な説明】
【００１１】
【図１】本発明の露光装置の一実施形態における内部構造を露光装置の側方から透視した構造図である。
【図２】ワークステージ周辺の構造を上方から見た上面図である。
【図３】制振ダンパの構造を示す断面図である
【図４】粘性抵抗力の原理を示す図である。
【図５】制振ダンパが外された比較例での振動減衰を示すグラフである。
【図６】制振ダンパが備えられた実施例での振動減衰を示すグラフである。
【発明を実施するための形態】
【００１２】
以下、本発明の実施の形態を図面に基づいて説明する。
図１は、本発明の露光装置の一実施形態における内部構造を露光装置の側方から透視した構造図である。
本明細書では、装置の向きなどを説明するため、各図に共通の座標系を用いるものとする。図１の紙面に垂直な方向がこの共通座標系のＸ軸方向であり、図１の左右方向がＹ軸方向であり、図１の上下方向がＺ軸方向である。
図１に示す露光装置１は、いわゆるステップ＆リピート処理を行う露光装置である。
露光装置１は、露光装置１の外形を規定するとともに露光装置１全体を支える光学フレーム１０を備えている。この光学フレーム１０が、本発明にいうフレームの一例に相当する。
【００１３】
露光装置１は、光学フレーム１０の上方に光源部２０を備えている。光源部２０はランプ２１とミラー２２とシャッタ２３を有し、ランプ２１は、ランプ点灯装置２４から電力が供給されて点灯する。ランプ２１から発せられた光はミラー２２で図１の下方に向けて反射される。シャッタ２３は、ミラー２２から下方へと向かう光の透過と遮断を切り換えて露光をオンオフさせる。
光学フレーム１０の内部には、マスク３０と投影レンズ４０が設置されている。マスク３０には露光のパターンが形成されており、光源部２０からの光がマスク３０に照射される。マスク３０を透過した露光光は投影レンズ４０によってワークＷ上に投影される。
【００１４】
光源部２０とマスク３０と投影レンズ４０とを併せたものが、本発明にいう露光部の一例に相当する。
光学フレーム１０の内には、ワークＷを保持してＸＹＺθ方向に移動させるワークステージ５０が備えられている。
露光装置１には、ランプ２１の点灯、シャッタ２３による露光のオンオフ、および、ワークステージ５０におけるＸＹＺθ方向の移動を制御する制御部６０も備えられている。
図２は、ワークステージ５０周辺の構造を上方から見た上面図である。
図２の紙面に垂直な方向が、上述した共通座標系におけるＺ軸方向であり、図２の左右方向がＹ軸方向であり、図２の上下方向がＸ軸方向である。
【００１５】
以下、図１と図２の双方を参照してワークステージ５０の構造について説明する。
本実施形態では、ワークステージ５０として、いわゆるＨ型ステージが採用されている。このワークステージ５０には、ＸＹ平面に沿って広がったステージ定盤５１と、ステージ定盤５１を光学フレーム１０上に支持したＺ軸駆動機構５２と、ステージ定盤５１の上をＸＹθ方向に移動可能な可動ステージ５３が設けられている。Ｚ軸駆動機構５２はステージ定盤５１をＺ軸方向に駆動(昇降)して任意の高さで支持する。ワークステージ５０に保持されているワークＷはこのＺ軸駆動機構５２によって、投影レンズ４０による露光パターンのピントが合う位置に移動されて保持される。
【００１６】
ステージ定盤５１は、本発明にいうステージ定盤の一例に相当し、可動ステージ５３は、本発明にいう可動ステージの一例に相当し、Ｚ軸駆動機構５２は、本発明にいう昇降機の一例に相当する。
ステージ定盤５１の上面には、Ｙ軸方向に延びた２本の固定ガイド５４が固定されている。この２本の固定ガイド５４の間には、移動ガイド５５が掛け渡され、その移動ガイド５５上に可動ステージ５３が載っている。
【００１７】
移動ガイド５５は、例えばリニアモータによるアクチュエータであるＹ軸駆動機構５４ａによって固定ガイド５４上で駆動されてＹ軸方向に移動する。また、可動ステージ５３は、例えばリニアモータによるアクチュエータであるＸ軸駆動機構５５ａによって移動ガイド５５上で駆動されてＸ軸方向に移動する。これにより、ＸＹ面内方向における可動ステージ５３およびワークＷの移動が実現される。
固定ガイド５４、Ｙ軸駆動機構５４ａ、移動ガイド５５、およびＸ軸駆動機構５５ａを併せたものが、本発明にいう移動機の一例に相当し、Ｙ軸駆動機構５４ａおよびＸ軸駆動機構５５ａが、本発明にいう複数の移動部の一例に相当する。
【００１８】
また、２つの固定ガイド５４上に設けられた２つのＹ軸駆動機構５４ａは、互いに逆向きの駆動が可能となっており、このような駆動により移動ガイド５５はＸＹ面内で回転する。このＸＹ面内での回転により、可動ステージ５３およびワークＷのθ方向回転が実現される。
可動ステージ５３の側面にはバーミラー５３ａが固定され、光学フレーム１０の内壁にはレーザ測長器１１が設置されている。可動ステージ５３の位置は、レーザ測長器１１から出射されてバーミラー５３ａによって反射されるレーザ光によって精密に測定される。可動ステージ５３およびワークＷの位置精度としては、露光パターンの微細化に伴って近年ますます高い精度が求められるようになってきている。
【００１９】
ところで、上述した構成において可動ステージ５３がＸＹ平面方向（ワークＷの表面に沿った方向）に移動すると、それに対する反力が発生してステージ定盤５１を押す。
ステージ定盤５１自体は露光パターンのピント合わせなどのために昇降移動の必要があるため、光学フレーム１０に直接固定されてはおらずＺ軸駆動機構５２に支持されている。このため、光学フレーム１０に直接不動に固定されている他の部材と比較すると若干剛性が劣り、可動ステージ５３の駆動に対する反力がステージ定盤５１に微細なＸＹ平面方向の振動をもたらす。
【００２０】
この振動はいずれ減衰するが、振動している時点においてはこの振動が、高い位置精度による露光の弊害となる。そのため、本実施形態の露光装置１がステップ＆リピート方式により各露光領域でパターンを形成する場合には、ある領域から次の領域に可動ステージ５３が移動した後に微細な振動が収まるまでに一定の時間待たなければならなくなる。
このような待機時間はタスクタイムのロスになるので、本実施形態では、光学フレーム１０に対するステージ定盤５１の振動を抑制する制振ダンパ７０が設けられ、振動の素早い減衰が図られている。この制振ダンパ７０が、本発明にいう制振ダンパの一例に相当する。
【００２１】
本実施形態では一例として４つの制振ダンパ７０が設けられている。また、本実施形態の場合は、Ｙ軸方向の振動については、図示を省略したカウンターマスを有した抑制機構によって抑制されるものとして、各制振ダンパ７０は、一例としてＸ軸方向の振動を抑制するものとなっている。
以下、制振ダンパ７０の構造の詳細について説明する。
図３は、制振ダンパの構造を示す断面図である。
図３の紙面に垂直な方向が、上述した共通座標系のＸ軸方向であり、図３の左右方向がＹ軸方向であり、図３の上下方向がＺ軸方向である。
制振ダンパ７０は容器７１と挿入体７２を備えており、一例として、容器７１が光学フレーム１０に固定され、挿入体７２がステージ定盤５１に固定されている。この容器７１が、本発明にいう容器の一例に相当し、挿入体７２が、本発明にいう挿入体の一例に相当する。容器７１には、上面側が開口し下面側に底部を有してＸ軸方向に延びた収容槽７３が設けられており、収容槽７３の内部空間には粘性流体７４が充填(収容)されている。
【００２２】
挿入体７２の一部はＸ軸方向に延びた板部７５となっている。板部７５は、収容槽７３の上面側の開口から粘性流体７４中に挿入されていて、収容槽７３の内壁から離間した状態で保持されている。この板部７５が、本発明にいう複数の板部の一例に相当する。
板部７５が収容槽７３の内壁から離間しているので、この制振ダンパ７０は、ステージ定盤５１のＺ方向を支持しているわけではなく、純粋にワーク面方向（実際にはＸ軸方向）の振動を減衰するだけの機能を有している。
【００２３】
粘性流体７４は、室温で例えば６０００Ｐａ・ｓ（パスカル秒）といった高い粘度を有しており、挿入体７２と容器７１との間に高い抵抗力を生じさせる。
このように収容槽７３や板部７５がＸ軸方向に延びた構造の制振ダンパ７０は、光学フレーム１０とステージ定盤５１との間の限られたスペースに、ステージ定盤５１に沿って設置することができ、装置の小型化に寄与する。
【００２４】
図４は、粘性抵抗力の原理を示す図である。
容器の壁１０１と移動物体１０２との間に間隔ｈの隙間があり、その隙間が粘度μの粘性流体１０３で満たされているものとする。移動物体１０２は、主に、図の下方側の面１０２ａで粘性流体１０３と接触しており、この面１０２ａを以下では抵抗面１０２ａと称する。移動物体１０２が壁１０１に対して平行に移動した場合、移動物体１０２と壁１０１との隙間に充填された粘性流体１０３によって、移動物体１０２の移動の向きとは逆向きの粘性抵抗が生じる。抵抗面１０２ａの面積がＡ、移動物体１０２の速度がＶである場合、抵抗面１０２ａに生じる粘性抵抗の抵抗力ＦはＦ＝μＡｖ／ｈで求められる。
【００２５】
露光装置１のステージ定盤５１に生じる振動は、サブミリ秒の減衰時間でもタスクタイム短縮の妨げとなるので、より素早い減衰が望ましい。そのような素早い減衰の実現には、より高い粘性抵抗が必要となるので、面積Ａの増加と間隔ｈの減少が望まれる。また、粘性抵抗が振動の減衰に効率よく働くように、抵抗面１０２ａおよび移動体１０２は、抑制される振動の方向(図３の例ではＸ軸方向)に沿って延びていることが望ましい。しかし、制振ダンパ７０自体における剛性の確保や設置スペースの制限などにより面積Ａの増加や間隔ｈの減少には限界がある。
【００２６】
これに対して粘性流体１０３の粘度μについては特に上限がなく、高い粘度μを有する粘性流体１０３の利用が望ましい。現実的な装置サイズでも充分に大きな抵抗力が得られる粘度μとしては、室温で５０００Ｐａ・ｓ以上であることがさらに望ましい。なお、設置スペースの確保ができれば、１０００Ｐａ・ｓ以上の粘性流体も好適に用いられる。そのような好適な粘性流体は、具体的には例えば高粘度シリコンオイルである。
図３に戻って説明を続ける。
挿入体７２の板部７５は、Ｘ軸方向に延びているとともにＺ軸方向にも延びており、板部７５が粘性流体７４から粘性抵抗を主に受ける抵抗面７５ａは、ＸＺ面内方向に広がっていることになる。また、板部７５の表裏両面が抵抗面７５ａとなっているとともに、板部７５が有する各面のうちで最大面積の面が抵抗面７５ａとなっている。
【００２７】
Ｘ軸駆動機構５５ａによる可動ステージ５３の駆動の反力でステージ定盤５１に生じる振動はＸ軸方向の振動である。Ｘ軸方向に延びた板部７５による粘性抵抗は、このようなＸ軸方向の振動を効率よく減衰させる。また、駆動の反力でステージ定盤５１に生じる振動に伴って板部７５および抵抗面７５ａは粘性流体７４および収容槽７３に対して十分に高い速度でＸ軸方向に移動して高い粘性抵抗が生じる。このような高い粘性抵抗によってＸ軸方向の振動は素早く減衰することになる。
ＸＺ面内方向に板部７５が広がった構造は、省スペースで広い抵抗面７５ａが得られる構造であるとともにＸ軸方向の動きに対して大きな剛性を有する構造である。このため、大きな抵抗力が生じていてもステージ定盤５１の振動が抵抗面７５ａまで確実に伝わり、粘性抵抗によって確実に減衰されることになる。
【００２８】
一方、Ｚ軸駆動機構５２によるステージ定盤５１の駆動はステージ定盤５１の振動に較べれば十分に小さいので粘性抵抗も小さく、Ｚ軸駆動機構５２によるステージ定盤５１の駆動は制振ダンパ７０に妨げられない。また、板部７５がＺ軸方向にも延びているので、ステージ定盤５１がＺ軸方向に駆動されても抵抗面７５ａと収容槽７３の内壁との距離が変化せず、制振ダンパ７０の基本的な性能が維持される。収容槽７３にはある程度の深さがあり、充填されている粘性流体７４もある程度の嵩があるので、ステージ定盤５１の上下動に伴って板部７５が上下しても、収容槽７３及び粘性流体７４から板部７５が離脱することは無い。
【００２９】
更に、本実施形態では、制振ダンパ７０の容器７１には複数(一例として２つ)の収容槽７３が設けられている。これら複数の収容槽７３は、互いに、抵抗面７５ａに交わる方向(一例としてＹ軸方向）に並んでいるので省スペースな構造となっている。これらの収容槽７３が、本発明にいう複数の収容槽の一例に相当する。また、これら複数の収容槽７３には、複数の板部７５が個別に挿入されている。これにより、抵抗面７５ａの数が増え、総面積も増えて、抵抗力が増す。
【００３０】
次に、このような制振ダンパ７０の性能を検証した実験結果について説明する。
図５は、制振ダンパが外された比較例での振動減衰を示すグラフである。
図６は、制振ダンパが備えられた実施例での振動減衰を示すグラフである。
図５および図６の縦軸は任意単位で振動の変位を表しており、横軸は時間を表している。また、図５および図６に示す細線のグラフＧ１，Ｇ２は振動の実測値を表しており、太線のグラフＧ３，Ｇ４は３点移動平均値を表している。更に、図５および図６には、３点移動平均値のグラフＧ３，Ｇ４に対するエンベロープのフィッティングによって得られた減衰曲線Ｔ１，Ｔ２が示されており、これらの減衰曲線Ｔ１，Ｔ２は、振幅の減衰状態を表している。
【００３１】
この実験では、上述した実施形態の構造と同様に、ステージ定盤５１の周囲に４つの制振ダンパ７０を有し、各制振ダンパ７０には２つの収容槽７３と板部７５を有した装置が用いられた。抵抗面の面積は、制振ダンパ７０毎に数百平方ｃｍ程度であり、収容槽７３と板部７５との隙間は１ｃｍ以下である。
ステージ定盤５１に対して衝撃力を与えて振動させたところ、ステージ定盤５１は約７０Ｈｚで振動した。この振動は、比較例ではζ＝０．０３の減衰率で減衰したのに対し、実施例ではζ＝０．０６５の減衰率で減衰し、例えば２００ｍｓの経過で振動波はほぼゼロとなった。
なお、上記実施形態では、いわゆるＨ型ステージが備えられた例が示されているが、本発明にいうステージ定盤と可動ステージは、いわゆる平面ステージを構成してもよい。また、Ｈ型ステージの場合には、本発明にいうステージ定盤は平面状の上面を有する必要はなく、固定ガイドが固定できる程度に平面方向の広がりを有した骨組み構造のものであってもよい。
【００３２】
また、上記実施形態では、容器７１が光学フレーム１０に固定され、挿入体７２がステージ定盤５１に固定された例が示されているが、本発明にいう挿入体および容器は、挿入体が光学フレーム１０に固定され、容器がステージ定盤５１に固定されてもよい。
また、上記実施形態では、粘性抵抗によって振動を減衰させる制振ダンパが例示されているが、本発明にいう制振ダンパは、圧力抵抗によって振動を減衰させるものであってもよい。
また、上記実施形態では、Ｘ軸方向の振動を抑制する制振ダンパ７０が例示されているが、本発明にいう制振ダンパは、Ｙ軸方向の振動を抑制するものであってもよいし、Ｘ軸方向とＹ軸方向との双方に交わる方向の振動を抑制するものであってもよい。更に、本発明の露光装置は、振動を抑制する方向が異なる複数の制振ダンパを備えてもよい。
【符号の説明】
【００３３】
１…露光装置、１０…光学フレーム、２０…光源部、３０…マスク、４０…投影レンズ、
５０…ワークステージ、６０…制御部、５１…ステージ定盤、５２…Ｚ軸駆動機構、
５３…可動ステージ、５４…固定ガイド、５５…移動ガイド、５４ａ…Ｙ軸駆動機構、
５５ａ…Ｘ軸駆動機構、７０…制振ダンパ、７１…容器、７２…挿入体、７３…収容槽、
７４…粘性流体、７５…板部
【図１】
2018124464.tif 000003
【図２】
2018124464.tif 000004
【図３】
2018124464.tif 000005
【図４】
2018124464.tif 000006
【図５】
2018124464.tif 000007
【図６】
2018124464.tif 000008